(57)【要約】【課題】被乾燥対象物の乾燥度合いに応じて効率よく乾燥させる乾燥機を提供する。【解決手段】衣類洗濯乾燥機１は、内槽１１０と供給路１２０と吸湿材と排水ホース１３０と供給側温度センサ１６１と供給側湿度センサ１６２と排気側温度センサ１６３と排気側湿度センサ１６４とデシカントロータ回転モータ１５３とを備える。供給側温度センサ１６１と排気側温度センサ１６３は、供給路１２０内の空気と排水ホース１３０内の空気の温度差を検知する。供給側湿度センサ１６２と排気側湿度センサ１６４は、上記の空気の湿度差を検知する。デシカントロータ回転モータ１５３は、上記の温度差および湿度差が所定の値よりも大きい場合には内槽１１０に供給される空気が吸湿材を通過しない送風乾燥状態に切り替え、上記の温度差または湿度差が所定の値よりも大きくない場合には、内槽１１０に供給される空気が吸湿材を通過する吸湿乾燥状態に切り替える。【選択図】図１
2011067510.tif 000002
【特許請求の範囲】
【請求項１】
被乾燥対象物を収容する容器と、
前記容器の内部に空気を供給するための供給路と、
前記供給路に配置される吸湿材と、
前記容器の内部の空気を排出するための排出路と、
前記供給路によって前記容器の内部に供給される空気と前記排出路によって前記容器の内部から排出される空気との温度差および／または湿度差を検知する検知部と、
前記供給路によって前記容器の内部に供給される空気が前記吸湿材を通過する状態と通過しない状態とを切り替えるための切替部とを備え、
前記切替部は、前記検知部が検知した温度差および／または湿度差が所定の値よりも大きい場合には前記供給路によって前記容器の内部に供給される空気が前記吸湿材を通過しない送風乾燥状態に切り替え、前記検知部が検知した温度差および／または湿度差が所定の値よりも大きくない場合には前記供給路によって前記容器の内部に供給される空気が前記吸湿材を通過する吸湿乾燥状態に切り替える、乾燥機。
【請求項２】
前記供給路に配置され、前記吸湿材を収容する吸湿部と前記吸湿材を収容しない非吸湿部とを含む吸湿材容器を備え、
前記切替部は、前記供給路によって前記容器の内部に供給される空気に前記吸湿材容器の非吸湿部を通過させることによって送風乾燥状態に切り替え、前記供給路によって前記容器の内部に供給される空気に前記吸湿材容器の吸湿部を通過させることによって吸湿乾燥状態に切り替える、請求項１に記載の乾燥機。
【請求項３】
前記供給路は、第１供給路と第２供給路とを含み、
前記吸湿材は、前記第２供給路に配置され、
前記切替部は、前記容器に供給される空気に前記第１供給路を流通させることによって送風乾燥状態に切り替え、前記容器に供給される空気に前記第２供給路を流通させることによって吸湿乾燥状態に切り替える、請求項１に記載の乾燥機。
【請求項４】
前記供給路は、前記第１供給路と前記第２供給路の上流側に配置される上流部を含み、
前記第１供給路と前記第２供給路は前記上流部に接続されている、請求項３に記載の乾燥機。
【請求項５】
前記吸湿材を再生するための再生部と、
熱交換器とを備え、
前記再生部は、前記吸湿材に空気を通過させるための再生流路と、前記吸湿材を通過する空気を加熱する加熱部とを含み、
前記熱交換器は、前記加熱部に加熱されて前記吸湿材を通過した前記再生流路内の空気の熱量によって、前記再生流路において前記加熱部よりも上流側の空気を加熱するように構成されている、請求項１から請求項４までのいずれか１項に記載の乾燥機。
【請求項６】
前記吸湿材を再生するための再生部と、
熱交換器とを備え、
前記再生部は、前記吸湿材に空気を通過させるための再生流路と、前記吸湿材を通過する空気を加熱する加熱部とを含み、
前記熱交換器は、前記加熱部に加熱されて前記吸湿材を通過した前記再生流路内の空気の熱量によって、前記供給路内の空気を加熱するように構成されている、請求項１から請求項４までのいずれか１項に記載の乾燥機。
【発明の詳細な説明】
【技術分野】
【０００１】
この発明は乾燥機に関する。
【背景技術】
【０００２】
従来、乾燥機には、水分を吸着する吸着剤を通過させた空気を被乾燥対象物に送風して、被乾燥対象物を乾燥させるものがある。
【０００３】
例えば、特許第３８１５１１６号公報（特許文献１）には、乾燥室外の空気から水分を吸着する吸着剤と、乾燥室外の空気を吸着剤を介して乾燥室に導く除湿風路と、乾燥室外の空気を吸着剤を介して再び乾燥室外に導く再生風路と、除湿風路および再生風路に空気を送風する送風手段と、吸着剤の風上に配置した加熱手段と、吸着剤の前後に配設し送風手段が送風する空気の経路を除湿風路または再生風路に切替える風路切替手段と、送風手段が乾燥室外から吸気した空気と、吸着剤を再生した後の空気との間で熱交換を行なう熱交換器とを具備し、送風手段を加熱手段と熱交換器との間の風路切替手段の風下に配設した乾燥機が記載されている。
【０００４】
この乾燥機では、運転の初期段階では、送風手段の作動によって、乾燥室内には、吸着剤によって除湿された乾燥空気が除湿風路から送風される。したがって、乾燥室内の空気は、循環風路から室外に排気される。送風手段が送風する乾燥室外の空気は、吸着剤を通過するときに、空気中に含まれている水分が吸着されて除湿される。同時に吸着剤は、水分の吸着に伴う吸着熱を発生する。送風手段が送風する空気は、この吸着熱を得て高温低湿の乾燥空気となる。この乾燥空気の送風によって、乾燥室内に例えば洗濯物などの衣類が収容されているときは、衣類の乾燥が進行する。
【０００５】
また、特開２００１−２９６９８号公報（特許文献２）に記載の衣類乾燥機は、温湿度検知手段が検知する温湿度が基準値より高温低湿であるときは、乾燥庫外から吸気した空気を撹拌送風手段によって乾燥庫内に送風し、低温高湿であるときは乾燥庫内から吸気した空気を除湿手段を介して循環送風手段によって循環送風する。
【先行技術文献】
【特許文献】
【０００６】
【特許文献１】特許第３８１５１１６号公報
【特許文献２】特開２００１−２９６９８号公報
【発明の概要】
【発明が解決しようとする課題】
【０００７】
しかしながら、特許第３８１５１１６号公報（特許文献１）に記載の乾燥機では、乾燥室外から乾燥室内に供給される空気は、常に、吸着剤によって除湿される。吸着剤は、風路切替手段によって空気の経路を除湿風路から再生風路に切り替えられたときには再生されるが、吸着剤を再生している間は乾燥室に乾燥空気を供給することができなくなる。そのため、被乾燥対象物の量が多い場合や、被乾燥対象物に含まれる水分量が多い場合には、大量の吸着剤が必要になったり、乾燥行程の途中で吸着剤を再生させるために合計の乾燥時間が長時間になったりすることがある。
【０００８】
また、特開２００１−２９６９８号公報（特許文献２）に記載の衣類乾燥機では、運転開始時に、温湿度検知手段が検知している乾燥庫外の空気が基準状態よりも高温低湿であるかどうかを確認し、乾燥庫外の空気が基準状態よりも高温低湿であれば、撹拌送風手段によって乾燥庫外の空気を吸気して、乾燥庫内に送風し、排気口から排気している。一方、運転開始時に検知された乾燥庫外の空気が基準状態よりも高温低湿でなければ、乾燥庫内の空気を吸着剤によって乾燥させながら循環させる。この衣類乾燥機では、運転開始後、乾燥庫外の温度や湿度に変化があっても、運転開始時に決められた乾燥方法で乾燥される。しかしながら、上述のように、乾燥に用いる空気に常に吸着剤を通過させる場合には、大量の吸着剤が必要になったり、乾燥行程の途中で吸着剤を再生させるために合計の乾燥時間が長時間になったりすることがある。また、乾燥行程の後半には、乾燥行程前と比較して乾燥室内の温度や湿度が低くなり、乾燥庫外の空気が基準値よりも高温低湿であるとしても、そのまま乾燥に用いると被乾燥対象物に残っている水分を十分に除去することができないことがある。特に、被乾燥対象物が繊維によって構成されている衣類等である場合には、被乾燥対象物の内部に残っている水分を十分に除去することができないことがある。
【０００９】
そこで、この発明の目的は、被乾燥対象物の乾燥度合いに応じて、被乾燥対象物を効率よく乾燥させることが可能な乾燥機を提供することである。
【課題を解決するための手段】
【００１０】
この発明に従った乾燥機は、容器と、供給路と、吸湿材と、排出路と、検知部と、切替部とを備える。容器は、被乾燥対象物を収容するためのものである。供給路は、容器の内部に空気を供給するためのものである。吸湿材は、供給路に配置される。排出路は、容器の内部の空気を排出するためのものである。検知部は、供給路によって容器の内部に供給される空気と排出路によって容器の内部から排出される空気との温度差および／または湿度差を検知するものである。切替部は、供給路によって容器の内部に供給される空気が吸湿材を通過する状態と通過しない状態とを切り替えるためのものである。
【００１１】
切替部は、検知部が検知した温度差および／または湿度差が所定の値よりも大きい場合には供給路によって容器の内部に供給される空気が吸湿材を通過しない送風乾燥状態に切り替える。切替部は、検知部が検知した温度差および／または湿度差が所定の値よりも大きくない場合には供給路によって容器の内部に供給される空気が吸湿材を通過する吸湿乾燥状態に切り替える。
【００１２】
供給路から容器内に供給され、被乾燥対象物に接触した空気は、排出路内に排出される。供給路内の空気の温度と湿度は、乾燥行程の全体を通じて、比較的高低差が少ない。一方、排出路内の空気の温度は、被乾燥対象物に含まれる水分が多いときには低くなりやすい。また、被乾燥対象物に含まれる水分が少ないときには、排出路内の空気の温度は、供給路内の空気と比較してあまり低くならず、供給路内の空気と排出路内の空気の温度差が小さくなる。
【００１３】
すなわち、検知部が検知する供給路によって容器の内部に供給される空気と排出路によって容器の内部から排出される空気との温度差は、被乾燥対象物に含まれる水分の量が多いときには大きくなり、被乾燥対象物に含まれる水分の量が少ないときには小さくなる。
【００１４】
一方、排出路内の空気の湿度は、被乾燥対象物に含まれる水分が多いときには供給路内の湿度よりも高くなる。被乾燥対象物に含まれる水分が少ないときには、排出路内の空気の湿度は供給路内の湿度と比較してあまり高くならず、供給路内の空気の湿度に近付く。
【００１５】
すなわち、検知部が検知する供給路によって容器の内部に供給される空気と排出路によって容器の内部から排出される空気との湿度差は、被乾燥対象物に含まれる水分の量が多いときには大きくなり、被乾燥対象物に含まれる水分の量が少ないときには小さくなる。
【００１６】
そこで、検知部は、供給路によって容器の内部に供給される空気と排出路によって容器の内部から排出される空気との温度差および／または湿度差を検知する。切替部は、検知部が検知した温度差および／または湿度差が所定の値よりも大きい場合には供給路によって容器の内部に供給される空気が吸湿材を通過しない送風乾燥状態に切り替える。検知部が検知した温度差および／または湿度差が所定の値よりも大きい場合には、容器の内部に供給される空気に吸湿材を通過させなくても、供給路から供給される空気が被乾燥対象物に接触すると、被乾燥対象物から水分が除去されて被乾燥対象物が乾燥される。
【００１７】
また、切替部は、検知部が検知した温度差または湿度差が所定の値よりも大きくない場合には供給路によって容器の内部に供給される空気が吸湿材を通過する吸湿乾燥状態に切り替える。検知部が検知した温度差および／または湿度差が所定の値よりも大きくない場合には、供給路から容器内に供給される空気が吸湿材を通過せずに被乾燥対象物に接触しても、被乾燥対象物から水分が除去されにくく、乾燥効率が低下する。そこで、供給路から容器内に供給される空気に吸湿材を通過させて、湿度を下げる。このようにして、例えば乾燥行程の後半や、乾燥機の周囲の湿度が高い場合にも、被乾燥対象物を十分に乾燥させることができる。このように、吸湿材を常に使用する必要がないので、乾燥機が備える吸湿材の量を低減することができる。
【００１８】
このようにすることにより、被乾燥対象物の乾燥度合いに応じて、被乾燥対象物を効率よく乾燥させることが可能な乾燥機を提供することができる。
【００１９】
この発明に従った乾燥機は、供給路に配置され、吸湿材を収容する吸湿部と吸湿材を収容しない非吸湿部とを含む吸湿材容器を備えることが好ましい。この発明に従った乾燥機においては、切替部は、供給路によって容器の内部に供給される空気に吸湿材容器の非吸湿部を通過させることによって送風乾燥状態に切り替え、供給路によって容器の内部に供給される空気に吸湿材容器の吸湿部を通過させることによって吸湿乾燥状態に切り替えることが好ましい。
【００２０】
このようにすることにより、乾燥機の構造を簡単にすることができる。
【００２１】
この発明に従った乾燥機においては、供給路は、第１供給路と第２供給路とを含むことが好ましい。吸湿材は、第２供給路に配置され、切替部は、容器に供給される空気に第１供給路を流通させることによって送風乾燥状態に切り替え、容器に供給される空気に第２供給路を流通させることによって吸湿乾燥状態に切り替えることが好ましい。
【００２２】
このようにすることにより、容器に供給させる空気に吸湿材を通過させない場合に、圧損が増大することを防ぐことができる。
【００２３】
この発明に従った乾燥機においては、供給路は、第１供給路と第２供給路の上流側に配置される上流部を含むことが好ましい。第１供給路と第２供給路は上流部に接続されていることが好ましい。
【００２４】
このようにすることにより、供給路の入口を１つにすることができる。例えば、上流部にフィルタを配置することによって、第１供給路と第２供給路とのそれぞれのフィルタを配置する必要がなくなる。
【００２５】
この発明に従った乾燥機は、吸湿材を再生するための再生部と、熱交換器とを備えることが好ましい。再生部は、吸湿材に空気を通過させるための再生流路と、吸湿材を通過する空気を加熱する加熱部とを含むものである。熱交換器は、加熱部に加熱されて吸湿材を通過した再生流路内の空気の熱量によって、再生流路において加熱部よりも上流側の空気を加熱するように構成されている。
【００２６】
吸湿材を再生させた空気の熱量によって、再生流路内の空気を加熱部の上流側で加熱することによって、加熱部による加熱量を低減することができる。
【００２７】
この発明に従った乾燥機は、吸湿材を再生するための再生部と、熱交換器とを備えることが好ましい。再生部は、吸湿材に空気を通過させるための再生流路と、吸湿材を通過する空気を加熱する加熱部とを含む。熱交換器は、加熱部に加熱されて吸湿材を通過した再生流路内の空気の熱量によって、供給路内の空気を加熱するように構成されている。
【００２８】
吸湿材を再生させた空気の熱量によって、供給路内の空気を加熱することによって、容器内の被乾燥対象物を加熱して、より速やかに乾燥させることができる。
【発明の効果】
【００２９】
以上のように、この発明によれば、被乾燥対象物の乾燥度合いに応じて、被乾燥対象物を効率よく乾燥させることが可能な乾燥機を提供することができる。
【図面の簡単な説明】
【００３０】
【図１】本発明の第１実施形態に係る衣類洗濯乾燥機の全体を模式的に示す図である。
【図２】本発明の第１実施形態に係る衣類洗濯乾燥機の制御関連の構成を示すブロック図である。
【図３】本発明の第２実施形態に係る衣類洗濯乾燥機の全体を模式的に示す図である。
【図４】本発明の第３実施形態に係る衣類洗濯乾燥機の全体を模式的に示す図である。
【図５】本発明の第４実施形態に係る衣類洗濯乾燥機が備える再生部を模式的に示す図である。
【図６】本発明の第５実施形態に係る衣類洗濯乾燥機が備える再生部を模式的に示す図である。
【図７】送風乾燥状態による乾燥効率と吸湿乾燥状態による乾燥効率とを示す図である。
【図８】送風乾燥状態における、供給路内の空気の温度と、排出路内の空気の温度と、排出路内の空気の湿度と、乾燥度との時間変化を示す図である。
【発明を実施するための形態】
【００３１】
以下、この発明の実施の形態を図面に基づいて説明する。
【００３２】
（第１実施形態）
図１に示すように、この発明の第１実施形態の乾燥機として衣類洗濯乾燥機１は、全体が筐体１００に覆われている。筐体１００の内部には、主に、被乾燥対象物として衣類２００を収容する容器として内槽１１０と、水槽１０１と、供給路１２０と、供給路１２０内に空気を送出するファン１４０と、排気路として排水ホース１３０と、吸湿材容器としてデシカントロータ１５０と、再生部１７０と、供給側温度センサ１６１と、供給側湿度センサ１６２と、排気側温度センサ１６３と、排気側湿度センサ１６４とを備える。再生部１７０は、再生流路１７１と、再生ヒータと、再生流路１７１内に空気を送出するための再生ファンとを含む。
【００３３】
内槽１１０は、駆動モータ（図示しない）によって、水槽１０１内で回転されるように支持されている。内槽１１０の周壁面には多数の小孔１１１が形成されている。水槽１０１の内部と内槽１１０の内部とは、内槽１１０に形成された小孔１１１によって連通されている。水槽１０１の最上部は、供給路１２０に接続されている。供給路１２０の吸気口１２１は、筐体１００の内部において開口されている。水槽１０１の最下部は、排水ホース１３０に接続されている。排水ホース１３０の排出口１３１は、筐体１００の外部において開口されている。供給路１２０には、ファン１４０とデシカントロータ１５０とが配置されている。
【００３４】
デシカントロータ１５０は、吸湿材を収容する吸湿部１５１と吸湿材を収容しない非吸湿部１５２とを含む。デシカントロータ１５０は、円筒状に形成され、円筒の軸線がほぼ水平になるように配置されている。吸湿部１５１と非吸湿部１５２とは、それぞれ、円筒が円筒の軸に沿って半分に切られた半円筒形状に形成されている。デシカントロータ１５０は、デシカントロータ１５０を回転させるデシカントロータ回転モータに接続されている。デシカントロータ回転モータ１５３が駆動されると、デシカントロータ１５０は、円筒の中心を中心にして、図１に矢印Ｐで示す方向に回転される。図１に示す状態では、デシカントロータ１５０の上部に非吸湿部１５２が配置され、デシカントロータ１５０の下部に吸湿部１５１が配置されている。デシカントロータ１５０が１８０°回転されると、デシカントロータ１５０の上部に吸湿部１５１が配置され、デシカントロータ１５０の下部に非吸湿部１５２が配置される。
【００３５】
デシカントロータ１５０には、供給路１２０と再生流路１７１とが接続されている。供給路１２０はデシカントロータ１５０の上部に接続され、再生流路１７１はデシカントロータ１５０の下部に配置されている。図１に示す状態では、デシカントロータ１５０の上部に非吸湿部１５２が配置され、デシカントロータ１５０の下部に吸湿部１５１が配置されているので、供給路１２０が非吸湿部１５２に接続され、再生流路１７１が吸湿部１５１に接続されている。
【００３６】
再生流路１７１の吸気口１７２は、筐体１００の内部において開口されている。再生流路１７１の排気口１７３は、筐体１００の外部において開口されている。
【００３７】
供給路１２０内において水槽１０１の近傍には、供給側温度センサ１６１と、供給側湿度センサ１６２とが配置されている。供給側温度センサ１６１は、供給路１２０から水槽１０１を通って内槽１１０内に供給される空気の温度を検知する。供給側湿度センサ１６２は、供給路１２０から水槽１０１を通って内槽１１０内に供給される空気の湿度を検知する。排水ホース１３０内において水槽１０１の近傍には、排気側温度センサ１６３と、排気側湿度センサ１６４とが配置されている。排気側温度センサ１６３は、内槽１１０から水槽１０１を通って排水ホース１３０内に排出される空気の温度を検知する。排気側湿度センサ１６４は、内槽１１０から水槽１０１を通って排水ホース１３０内に排出される空気の湿度を検知する。
【００３８】
供給側温度センサ１６１と供給側湿度センサ１６２と排気側温度センサ１６３と排気側湿度センサ１６４とは、検知部を構成する。供給側温度センサ１６１と排気側温度センサ１６３によって、供給路１２０内の空気の温度と排水ホース１３０内の空気の温度との温度差が検知される。供給側湿度センサ１６２と排気側湿度センサ１６４によって、供給路１２０内の空気の湿度と排水ホース１３０内の空気の湿度との湿度差が検知される。
【００３９】
図２に示すように、衣類洗濯乾燥機１は、制御関連の構成として、供給側温度センサ１６１と、供給側湿度センサ１６２と、排気側温度センサ１６３と、排気側湿度センサ１６４と、制御部１８０と、ファン１４０と、切替部としてデシカントロータ回転モータ１５３と、再生ファン１７４と、再生ヒータ１７５とを備える。
【００４０】
供給側温度センサ１６１と排気側温度センサ１６３は、温度を検知して制御部１８０に信号を送信する。供給側湿度センサ１６２と排気側湿度センサ１６４は、湿度を検知して制御部１８０に信号を送信する。制御部１８０は、供給側温度センサ１６１と供給側湿度センサ１６２と排気側温度センサ１６３と排気側湿度センサ１６４とから送信された信号に基づいて、ファン１４０と、デシカントロータ回転モータ１５３と、再生ファン１７４と、再生ヒータ１７５とに制御信号を送信する。
【００４１】
以上のように構成された衣類洗濯乾燥機１の動作について説明する。
【００４２】
まず、衣類洗濯乾燥機１で衣類２００の洗濯を行うときには、水槽１０１内に水が貯められる。内槽１１０の周壁面には多数の小孔１１１が形成されているので、水槽１０１内に水が貯められると、内槽１１０の内部にも水が侵入する。水槽１０１内に水が貯められた状態で内槽１１０を回転させることによって、内槽１１０内に収容される衣類２００が水で洗濯される。
【００４３】
洗濯終了時には、水槽１０１内の水は排水ホース１３０から筐体１００の外部に排出される。
【００４４】
次に、衣類洗濯乾燥機１で衣類２００の乾燥を行うときには、ファン１４０が駆動されて、供給路１２０内に空気が送出される。ファン１４０が駆動されると、空気は図１に一点鎖線の矢印で示す方向に送出される。供給路１２０内に送出された空気は、水槽１０１内を通って内槽１１０内に流入し、内槽１１０内に収容されている衣類２００に接触する。衣類２００に接触した空気は、内槽１１０の小孔１１１から再び水槽１０１内に流出し、排水ホース１３０を通って排出口１３１から筐体１００の外部に排気される。
【００４５】
供給側温度センサ１６１は、供給路１２０内の空気の温度を検知して、制御部１８０に信号を送信する。また、供給側湿度センサ１６２は、供給路１２０内の空気の湿度を検知して、制御部１８０に信号を送信する。一方、排気側温度センサ１６３は、排水ホース１３０内の空気の温度を検知して、制御部１８０に信号を送信する。排気側湿度センサ１６４は、排水ホース１３０内の空気の湿度を検知して、制御部１８０に信号を送信する。
【００４６】
制御部１８０は、供給側温度センサ１６１によって検知された供給路１２０内の空気の温度と、排気側温度センサ１６３によって検知された排水ホース１３０内の空気の温度との温度差が所定の温度差として、例えば２℃よりも大きいかどうかを判断する。また制御部１８０は、供給側湿度センサ１６２によって検知された供給路１２０内の空気の湿度と、排気側湿度センサ１６４によって検知された排水ホース１３０内の空気の湿度との湿度差が所定の湿度差として例えば２％よりも大きいかどうかを判断する。
【００４７】
制御部１８０は、供給側温度センサ１６１と排気側温度センサ１６３によって検知される温度の差が２℃よりも大きく、供給側湿度センサ１６２と排気側湿度センサ１６４によって検知される湿度の差が２％よりも大きい場合には、デシカントロータ回転モータ１５３を駆動して、デシカントロータ１５０の非吸湿部１５２が上部に配置され、吸湿部１５１が下部に配置されるように制御する。この状態で供給路１２０内に送風されると、供給路１２０内の空気は、吸湿材を通過せずに、内槽１１０内に供給される。この状態を送風乾燥状態とする。
【００４８】
また制御部１８０はこのとき、再生ヒータ１７５と再生ファン１７４を駆動させる。再生ファン１７４が駆動されると、再生流路１７１内には、図１に二点鎖線の矢印で示す方向に空気が送出される。吸湿部１５１の吸湿材には、再生ヒータ１７５によって加熱された空気が供給される。このようにすることにより、吸湿材に含まれる水分を除去して吸湿材を再生させることができる。
【００４９】
このように、送風乾燥状態では、供給路１２０から内槽１１０内に供給される空気は吸湿材を通過しない。乾燥初期のように、供給路１２０から内槽１１０内に供給される空気の温度や湿度と、内槽１１０内の空気の温度や湿度との差が大きいときには、内槽１１０外の空気の湿度が内槽１１０の内部の湿度よりも十分に低いので、供給路１２０から内槽１１０に供給される空気に吸湿材を通過させなくても衣類２００の乾燥を進行させることができる。
【００５０】
衣類２００の乾燥が進行するにしたがって、供給側温度センサ１６１と排気側温度センサ１６３によって検知される温度の差が小さくなり、供給側湿度センサ１６２と排気側湿度センサ１６４によって検知される湿度の差が小さくなる。
【００５１】
制御部１８０は、供給側温度センサ１６１と排気側温度センサ１６３によって検知される温度の差が２℃よりも大きくなくなり、供給側湿度センサ１６２と排気側湿度センサ１６４によって検知される湿度の差が２％よりも大きくなくなった場合には、デシカントロータ回転モータ１５３を駆動して、デシカントロータ１５０の吸湿部１５１が上部に配置され、非吸湿部１５２が下部に配置されるように制御する。この状態で供給路１２０内に送風されると、供給路１２０内の空気は、吸湿材を通過して、水分を除去されて内槽１１０内に供給される。この状態を吸湿乾燥状態とする。
【００５２】
このように、デシカントロータ１５０を回転させることによって、供給路１２０によって内槽１１０の内部に供給される空気に非吸湿部１５２を通過させて送風乾燥状態に切り替え、供給路１２０によって内槽１１０の内部に供給される空気に吸湿部１５１を通過させて吸湿乾燥状態に切り替えることができる。
【００５３】
また制御部１８０はこのとき、再生ヒータ１７５と再生ファン１７４の駆動を停止させる。
【００５４】
衣類２００の乾燥が進行すると、供給路１２０から内槽１１０内に供給される空気の温度や湿度と、内槽１１０内の空気の温度や湿度との差が小さくなる。このような状態では、内槽１１０外の空気をそのまま内槽１１０内に供給しても、衣類２００の水分をある程度以上、除去できなくなる。そこで、内槽１１０外の空気に吸湿材を通過させて、内槽１１０内に供給される空気から水分を除去する。このようにすることにより、衣類２００からさらに水分を除去して、衣類２００を十分に乾燥させることができる。
【００５５】
なお、制御部１８０は、供給側温度センサ１６１と排気側温度センサ１６３によって検知される温度の差と、供給側湿度センサ１６２と排気側湿度センサ１６４によって検知される湿度の差のうちのいずれか一方が所定の値よりも大きい場合に、送風乾燥状態に切り替えてもよい。
【００５６】
また、制御部１８０は、供給側温度センサ１６１と排気側温度センサ１６３によって検知される温度の差と、供給側湿度センサ１６２と排気側湿度センサ１６４によって検知される湿度の差のうちのいずれか一方が所定の値よりも大きくなくなった場合に、吸湿乾燥状態に切り替えてもよい。
【００５７】
また、制御部１８０は、供給側温度センサ１６１と排気側温度センサ１６３によって検知される温度の差と、供給側湿度センサ１６２と排気側湿度センサ１６４によって検知される湿度の差の両方が所定の値よりも大きくなくなった場合に、吸湿乾燥状態に切り替えてもよい。
【００５８】
第１実施形態の衣類洗濯乾燥機１のように、温度差と湿度差の両方に基づいて送風乾燥状態と吸湿乾燥状態とを切り替えることによって、より正確に衣類２００の乾燥度合いに応じた乾燥を行なうことができる。
【００５９】
以上のように、第１実施形態の衣類洗濯乾燥機１は、内槽１１０と、供給路１２０と、吸湿材と、排水ホース１３０と、供給側温度センサ１６１と供給側湿度センサ１６２と排気側温度センサ１６３と排気側湿度センサ１６４と、デシカントロータ回転モータ１５３とを備える。内槽１１０は、衣類２００を収容するためのものである。供給路１２０は、内槽１１０の内部に空気を供給するためのものである。吸湿材は、供給路１２０に配置される。排水ホース１３０は、内槽１１０の内部の空気を排出するためのものである。供給側温度センサ１６１と排気側温度センサ１６３は、供給路１２０によって内槽１１０の内部に供給される空気と排水ホース１３０によって内槽１１０の内部から排出される空気との温度差を検知するためのものである。供給側湿度センサ１６２と排気側湿度センサ１６４は、供給路１２０によって内槽１１０の内部に供給される空気と排水ホース１３０によって内槽１１０の内部から排出される空気との湿度差を検知するだめのものである。デシカントロータ回転モータ１５３は、供給路１２０によって内槽１１０の内部に供給される空気が吸湿材を通過する状態と通過しない状態とを切り替えるためのものである。
【００６０】
デシカントロータ回転モータ１５３は、供給側温度センサ１６１と排気側温度センサ１６３が検知した温度差、および／または、供給側湿度センサ１６２と排気側湿度センサ１６４が検知した湿度差が、所定の値よりも大きい場合には供給路１２０によって内槽１１０の内部に供給される空気が吸湿材を通過しない送風乾燥状態に切り替える。デシカントロータ回転モータ１５３は、供給側温度センサ１６１と排気側温度センサ１６３が検知した温度差、および／または、供給側湿度センサ１６２と排気側湿度センサ１６４が検知した湿度差が所定の値よりも大きくない場合には、供給路１２０によって内槽１１０の内部に供給される空気が吸湿材を通過する吸湿乾燥状態に切り替える。
【００６１】
供給路１２０から内槽１１０内に供給され、衣類２００に接触した空気は、排水ホース１３０内に排出される。供給路１２０内の空気の温度と湿度は、乾燥行程の全体を通じて、比較的高低差が少ない。一方、排水ホース１３０内の空気の温度は、衣類２００に含まれる水分が多いときには低くなりやすい。また、衣類２００に含まれる水分が少ないときには、排水ホース１３０内の空気の温度は、供給路１２０内の空気と比較してあまり低くならず、供給路１２０内の空気と排水ホース１３０内の空気の温度差が小さくなる。
【００６２】
すなわち、供給側温度センサ１６１と供給側湿度センサ１６２と排気側温度センサ１６３と排気側湿度センサ１６４が検知する供給路１２０によって内槽１１０の内部に供給される空気と排水ホース１３０によって内槽１１０の内部から排出される空気との温度差は、衣類２００に含まれる水分の量が多いときには大きくなり、衣類２００に含まれる水分の量が少ないときには小さくなる。
【００６３】
一方、排水ホース１３０内の空気の湿度は、衣類２００に含まれる水分が多いときには供給路１２０内の湿度よりも高くなる。衣類２００に含まれる水分が少ないときには、排水ホース１３０内の空気の湿度は供給路１２０内の湿度と比較してあまり高くならず、供給路１２０内の空気の湿度に近付く。
【００６４】
すなわち、供給側温度センサ１６１と供給側湿度センサ１６２と排気側温度センサ１６３と排気側湿度センサ１６４が検知する供給路１２０によって内槽１１０の内部に供給される空気と排水ホース１３０によって内槽１１０の内部から排出される空気との湿度差は、衣類２００に含まれる水分の量が多いときには大きくなり、衣類２００に含まれる水分の量が少ないときには小さくなる。
【００６５】
そこで、供給側温度センサ１６１と排気側温度センサ１６３は、供給路１２０によって内槽１１０の内部に供給される空気と排水ホース１３０によって内槽１１０の内部から排出される空気との温度差を検知する。供給側湿度センサ１６２と排気側湿度センサ１６４は、供給路１２０によって内槽１１０の内部に供給される空気と排水ホース１３０によって内槽１１０の内部から排出される空気との湿度差を検知する。デシカントロータ回転モータ１５３は、供給側温度センサ１６１と供給側湿度センサ１６２と排気側温度センサ１６３と排気側湿度センサ１６４が検知した温度差および／または湿度差が所定の値よりも大きい場合には供給路１２０によって内槽１１０の内部に供給される空気が吸湿材を通過しない送風乾燥状態に切り替える。供給側温度センサ１６１と供給側湿度センサ１６２と排気側温度センサ１６３と排気側湿度センサ１６４が検知した温度差および／または湿度差が所定の値よりも大きい場合には、内槽１１０の内部に供給される空気に吸湿材を通過させなくても、供給路１２０から供給される空気が衣類２００に接触すると、衣類２００から水分が除去されて衣類２００が乾燥される。
【００６６】
また、デシカントロータ回転モータ１５３は、供給側温度センサ１６１と供給側湿度センサ１６２と排気側温度センサ１６３と排気側湿度センサ１６４が検知した温度差または湿度差が所定の値よりも大きくない場合には供給路１２０によって内槽１１０の内部に供給される空気が吸湿材を通過する吸湿乾燥状態に切り替える。供給側温度センサ１６１と供給側湿度センサ１６２と排気側温度センサ１６３と排気側湿度センサ１６４が検知した温度差および／または湿度差が所定の値よりも大きくない場合には、供給路１２０から内槽１１０内に供給される空気が吸湿材を通過せずに衣類２００に接触しても、衣類２００から水分が除去されにくく、乾燥効率が低下する。そこで、供給路１２０から内槽１１０内に供給される空気に吸湿材を通過させて、湿度を下げる。このようにして、例えば乾燥行程の後半や、衣類洗濯乾燥機１の周囲の湿度が高い場合にも、衣類２００を十分に乾燥させることができる。このように、吸湿材を常に使用する必要がないので、衣類洗濯乾燥機１が備える吸湿材の量を低減することができる。
【００６７】
このようにすることにより、衣類２００の乾燥度合いに応じて、衣類２００を効率よく乾燥させることが可能な衣類洗濯乾燥機１を提供することができる。
【００６８】
また、第１実施形態の衣類洗濯乾燥機１は、供給路１２０に配置され、吸湿材を収容する吸湿部１５１と吸湿材を収容しない非吸湿部１５２とを含むデシカントロータ１５０を備える。第１実施形態の衣類洗濯乾燥機１においては、デシカントロータ回転モータ１５３は、供給路１２０によって内槽１１０の内部に供給される空気にデシカントロータ１５０の非吸湿部１５２を通過させることによって送風乾燥状態に切り替え、供給路１２０によって内槽１１０の内部に供給される空気にデシカントロータ１５０の吸湿部１５１を通過させることによって吸湿乾燥状態に切り替える。
【００６９】
このようにすることにより、衣類洗濯乾燥機１の構造を簡単にすることができる。
【００７０】
（第２実施形態）
図３に示すように、第２実施形態の衣類洗濯乾燥機２が第１実施形態の衣類洗濯乾燥機１と異なる点としては、第２実施形態の衣類洗濯乾燥機２の供給路１２０ａは、第１供給路１２２と第２供給路１２４とを含む。また、第２実施形態の衣類洗濯乾燥機２のデシカントロータ１５０の内部は、吸湿部と非吸湿部とに分かれておらず、デシカントロータ１５０の内部全体に吸湿材が充填されている。さらに、第２実施形態の衣類洗濯乾燥機２は、切替部としてダンパ１９１を備える。第２実施形態の衣類洗濯乾燥機２のその他の構成は、第１実施形態の衣類洗濯乾燥機１と同様である。
【００７１】
第１供給路１２２の下流側の端部と第２供給路１２４の下流側の端部は、ファン１４０の上流側において互いに接続されている。第１供給路１２２の吸気口１２３と第２供給路１２４の吸気口１２５とは、それぞれ筐体１００の内部において開口されている。デシカントロータ１５０は、第２供給路１２４に配置されている。ダンパ１９１は、第１供給路１２２と第２供給路１２４の接続部分に配置されており、第１供給路１２２と第２供給路１２４の一方を開放し、他方を閉塞するように、制御部１８０（図２）によって制御される。
【００７２】
以上のように構成される第２実施形態の衣類洗濯乾燥機２においても、第１実施形態の衣類洗濯乾燥機１と同様に、衣類洗濯乾燥機２で衣類２００の乾燥を行うときには、ファン１４０が駆動されて、供給路１２０ａ内に空気が送出される。ファン１４０が駆動されると、空気は図３に一点鎖線の矢印で示す方向に送出される。供給路１２０ａ内に送出された空気は、水槽１０１内を通って内槽１１０内に流入し、内槽１１０内に収容されている衣類２００に接触する。衣類２００に接触した空気は、内槽１１０の小孔１１１から再び水槽１０１内に流出し、排水ホース１３０を通って排出口１３１から筐体１００の外部に排気される。
【００７３】
供給側温度センサ１６１は、供給路１２０ａ内の空気の温度を検知して、制御部１８０に信号を送信する。また、供給側湿度センサ１６２は、供給路１２０ａ内の空気の湿度を検知して、制御部１８０に信号を送信する。一方、排気側温度センサ１６３は、排水ホース１３０内の空気の温度を検知して、制御部１８０に信号を送信する。排気側湿度センサ１６４は、排水ホース１３０内の空気の湿度を検知して、制御部１８０に信号を送信する。
【００７４】
制御部１８０は、供給側温度センサ１６１によって検知された供給路１２０ａ内の空気の温度と、排気側温度センサ１６３によって検知された排水ホース１３０内の空気の温度との温度差が所定の温度差として、例えば２℃よりも大きいかどうかを判断する。また制御部１８０は、供給側湿度センサ１６２によって検知された供給路１２０ａ内の空気の湿度と、排気側湿度センサ１６４によって検知された排水ホース１３０内の空気の湿度との湿度差が所定の湿度差として例えば２％よりも大きいかどうかを判断する。
【００７５】
制御部１８０は、供給側温度センサ１６１と排気側温度センサ１６３によって検知される温度の差が２℃よりも大きく、供給側湿度センサ１６２と排気側湿度センサ１６４によって検知される湿度の差が２％よりも大きい場合には、ダンパ１９１を駆動して、図３に実線で示すように、第１供給路１２２が開放され、第２供給路１２４が閉塞されるように制御する。この状態で供給路１２０ａ内に送風されると、供給路１２０ａ内の空気は、吸湿材を通過せずに、内槽１１０内に供給される。この状態を送風乾燥状態とする。
【００７６】
また制御部１８０はこのとき、再生ヒータ１７５と再生ファン１７４を駆動させる。再生ファン１７４が駆動されると、再生流路１７１内には、図３に二点鎖線の矢印で示す方向に空気が送出される。デシカントロータ１５０の吸湿材には、再生ヒータ１７５によって加熱された空気が供給される。このようにすることにより、吸湿材に含まれる水分を除去して吸湿材を再生させることができる。
【００７７】
このように、送風乾燥状態では、供給路１２０ａから内槽１１０内に供給される空気は吸湿材を通過しない。また、第１実施形態の衣類洗濯乾燥機１と異なって、送風乾燥状態では、供給路１２０ａから内槽１１０内に供給される空気はデシカントロータ１５０を通過しない。そのため、送風乾燥状態においては、第１実施形態の衣類洗濯乾燥機１と比較して、供給路１２０ａを通過する空気の圧力損失を低減することができる。
【００７８】
制御部１８０は、供給側温度センサ１６１と排気側温度センサ１６３によって検知される温度の差が２℃よりも大きくなくなり、供給側湿度センサ１６２と排気側湿度センサ１６４によって検知される湿度の差が２％よりも大きくなくなった場合には、ダンパ１９１を駆動して、図３に二点鎖線で示すように、第１供給路１２２が閉塞され、第２供給路１２４が開放されるように制御する。この状態で供給路１２０ａ内に送風されると、供給路１２０ａ内の空気は、吸湿材を通過して、水分を除去されて内槽１１０内に供給される。この状態を吸湿乾燥状態とする。また制御部１８０はこのとき、再生ヒータ１７５と再生ファン１７４の駆動を停止させてもよいし、再生ヒータ１７５と再生ファン１７４の駆動を続けて吸湿材を再生させてもよい。
【００７９】
このように、ダンパ１９１によって第１供給路１２２を開放し第２供給路１２４を閉塞させることによって、供給路１２０ａによって内槽１１０の内部に供給される空気がデシカントロータ１５０を通過しない送風乾燥状態に切り替え、ダンパ１９１によって第１供給路１２２を閉塞し第２供給路１２４を開放させることによって、供給路１２０ａによって内槽１１０の内部に供給される空気にデシカントロータ１５０の吸湿材を通過させて吸湿乾燥状態に切り替えることができる。
【００８０】
なお、制御部１８０は、デシカントロータ回転モータ１５３を駆動して、デシカントロータ１５０を図３に矢印Ｐに示す方向に回転させることができる。デシカントロータ１５０を回転させることによって、デシカントロータ１５０内の異なる位置の吸湿材を、再生流路１７１を通過する空気に接触させて再生させることができる。
【００８１】
以上のように、第２実施形態の衣類洗濯乾燥機２においては、供給路１２０ａは、第１供給路１２２と第２供給路１２４とを含む。吸湿材は、第２供給路１２４に配置され、切替部は、内槽１１０に供給される空気に第１供給路１２２を流通させることによって送風乾燥状態に切り替え、内槽１１０に供給される空気に第２供給路１２４を流通させることによって吸湿乾燥状態に切り替える。
【００８２】
このようにすることにより、内槽１１０に供給させる空気に吸湿材を通過させない場合に、圧損が増大することを防ぐことができる。
【００８３】
第２実施形態の衣類洗濯乾燥機２のその他の構成と効果は、第１実施形態の衣類洗濯乾燥機１と同様である。
【００８４】
（第３実施形態）
図４に示すように、第３実施形態の衣類洗濯乾燥機３が第２実施形態の衣類洗濯乾燥２と異なる点としては、第３実施形態の衣類洗濯乾燥機３においては、第１供給路１２６と第２供給路１２７は、上流側の端部においても互いに接続されている。第１供給路１２６と第２供給路１２７とは、どちらも供給路１２０ｂの上流部１２８に接続されている。上流部１２８の吸気口１２９は筐体１００の内部において開口され、吸気口１２９には、フィルタ１９２が設置されている。ダンパ１９１は、第１供給路１２６と第２供給路１２７の上流側の接続部、すなわち、上流部１２８の下流側端部に配置されている。第３実施形態の衣類洗濯乾燥機３のその他の構成は第２実施形態の衣類洗濯乾燥機２と同様である。
【００８５】
このように構成された第３実施形態の衣類洗濯乾燥機３は、第２実施形態の衣類洗濯乾燥機２と同様に動作する。
【００８６】
衣類洗濯乾燥機３で衣類２００の乾燥を行うときには、ファン１４０が駆動されて、供給路１２０ｂ内に空気が送出される。ファン１４０が駆動されると、空気は図４に一点鎖線の矢印で示す方向に送出される。供給路１２０ｂ内に送出された空気は、水槽１０１内を通って内槽１１０内に流入し、内槽１１０内に収容されている衣類２００に接触する。衣類２００に接触した空気は、内槽１１０の小孔１１１から再び水槽１０１内に流出し、排水ホース１３０を通って排出口１３１から筐体１００の外部に排気される。
【００８７】
供給側温度センサ１６１は、供給路１２０ｂ内の空気の温度を検知して、制御部１８０に信号を送信する。また、供給側湿度センサ１６２は、供給路１２０ｂ内の空気の湿度を検知して、制御部１８０に信号を送信する。一方、排気側温度センサ１６３は、排水ホース１３０内の空気の温度を検知して、制御部１８０に信号を送信する。排気側湿度センサ１６４は、排水ホース１３０内の空気の湿度を検知して、制御部１８０に信号を送信する。
【００８８】
制御部１８０は、供給側温度センサ１６１によって検知された供給路１２０ｂ内の空気の温度と、排気側温度センサ１６３によって検知された排水ホース１３０内の空気の温度との温度差が所定の温度差として、例えば２℃よりも大きいかどうかを判断する。また制御部１８０は、供給側湿度センサ１６２によって検知された供給路１２０ｂ内の空気の湿度と、排気側湿度センサ１６４によって検知された排水ホース１３０内の空気の湿度との湿度差が所定の湿度差として例えば２％よりも大きいかどうかを判断する。
【００８９】
制御部１８０は、供給側温度センサ１６１と排気側温度センサ１６３によって検知される温度の差が２℃よりも大きく、供給側湿度センサ１６２と排気側湿度センサ１６４によって検知される湿度の差が２％よりも大きい場合には、ダンパ１９１を駆動して、図３に実線で示すように、第１供給路１２２が開放され、第２供給路１２４が閉塞されるように制御する。この状態で供給路１２０ｂ内に送風されると、供給路１２０ｂ内の空気は、吸湿材を通過せずに、内槽１１０内に供給される。この状態を送風乾燥状態とする。
【００９０】
また制御部１８０はこのとき、再生ヒータ１７５と再生ファン１７４を駆動させる。再生ファン１７４が駆動されると、再生流路１７１内には、図４に二点鎖線の矢印で示す方向に空気が送出される。デシカントロータ１５０の吸湿材には、再生ヒータ１７５によって加熱された空気が供給される。このようにすることにより、吸湿材に含まれる水分を除去して吸湿材を再生させることができる。
【００９１】
以上のように、第３実施形態の乾燥機においては、供給路１２０ｂは、第１供給路１２６と第２供給路１２７の上流側に配置される上流部１２８を含む。第１供給路１２６と第２供給路１２７は上流部１２８に接続されている。
【００９２】
このようにすることにより、供給路１２０ｂの入口を１つにすることができる。例えば、上流部１２８にフィルタ１９２を配置することによって、第１供給路１２６と第２供給路１２７とのそれぞれのフィルタを配置する必要がなくなる。
【００９３】
第３実施形態の衣類洗濯乾燥機３のその他の構成と効果は、第２実施形態の衣類洗濯乾燥機２と同様である。
【００９４】
（第４実施形態）
図５に示すように、第４実施形態の衣類洗濯乾燥機の再生部１７０は、第１実施形態の衣類洗濯乾燥機１の再生部１７０と異なる点としては、熱交換器１７６を備える。加熱部として再生ヒータ１７５は、再生流路１７１において、熱交換器１７６の下流側に配置されている。
【００９５】
再生流路１７１の吸気口１７２から再生流路１７１に流入した空気は、熱交換器１７６を通過した後、再生ヒータ１７５によって加熱されて、デシカントロータ１５０を通過する。このとき、デシカントロータ１５０内の吸湿材は、加熱されて再生される。デシカントロータ１５０を通過した空気は、熱交換器１７６を通過するときに、再生流路１７１内において再生ヒータ１７５よりも上流側の空気を加熱する。このようにすることにより、再生流路１７１内の空気は、再生ヒータ１７５で加熱される前に、熱交換器１７６を通過することによって、デシカントロータ１５０を通過した空気の熱量によって加熱される。
【００９６】
以上のように、第４実施形態の衣類洗濯乾燥機は、吸湿材を再生するための再生部１７０と、熱交換器１７６とを備える。再生部１７０は、吸湿材に空気を通過させるための再生流路１７１と、吸湿材を通過する空気を加熱する再生ヒータ１７５とを含むものである。熱交換器１７６は、加熱部に加熱されて吸湿材を通過した再生流路１７１内の空気の熱量によって、再生流路１７１において再生ヒータ１７５よりも上流側の空気を加熱するように構成されている。
【００９７】
吸湿材を再生させた空気の熱量によって、再生流路１７１内の空気を加熱部の上流側で加熱することによって、加熱部による加熱量を低減することができる。
【００９８】
第４実施形態の衣類洗濯乾燥機のその他の構成と効果は、第１実施形態の衣類洗濯乾燥機１と同様である。
【００９９】
（第５実施形態）
図６に示すように、第５実施形態の衣類洗濯乾燥機の再生部１７０は、第１実施形態の衣類洗濯乾燥機１の再生部１７０と異なる点としては、熱交換器１７６を備える。加熱部として再生ヒータ１７５は、再生流路１７１において、熱交換器１７６の上流側に配置されている。熱交換器１７６は、供給路１２０においてデシカントロータ１５０の下流側と、再生流路１７１においてデシカントロータ１５０の下流側に接続されている。
【０１００】
再生流路１７１の吸気口１７２から再生流路１７１内に流入した空気は、再生ヒータ１７５を通過して加熱される。加熱された空気がデシカントロータ１５０を通過すると、デシカントロータ１５０内の吸湿材が加熱されて再生される。デシカントロータ１５０を通過した空気は、熱交換器１７６を通過する。熱交換器１７６には、供給路１２０も接続されている。熱交換器１７６においては、再生流路１７１内の空気の熱量によって供給路１２０内の空気が加熱される。
【０１０１】
以上のように、第５実施形態の衣類洗濯乾燥機は、吸湿材を再生するための再生部１７０と、熱交換器１７６とを備える。再生部１７０は、吸湿材に空気を通過させるための再生流路１７１と、吸湿材を通過する空気を加熱する加熱部とを含む。熱交換器１７６は、加熱部に加熱されて吸湿材を通過した再生流路１７１内の空気の熱量によって、供給路１２０内の空気を加熱するように構成されている。
【０１０２】
吸湿材を再生させた空気の熱量によって、供給路１２０内の空気を加熱することによって、内槽１１０内の衣類２００を加熱して、より速やかに乾燥させることができる。
【０１０３】
第５実施形態の衣類洗濯乾燥機のその他の構成と効果は、第１実施形態の衣類洗濯乾燥機１と同様である。
【実施例】
【０１０４】
送風乾燥状態による乾燥効率と、吸湿乾燥状態による乾燥効率とを比較するために、次の実験を行なった。洗濯し、脱水した衣類を、送風乾燥状態または吸湿乾燥状態によって乾燥させ、乾燥度と乾燥効率とを求めた。衣類は、乾燥時には３０６３．７ｇであり、脱水後には、４３４０ｇであった。脱水後の衣類に対して、温度が２７℃、湿度が４２％の恒温槽内で、１．２５ｍ３／分の風量の風を送風して送風乾燥状態による乾燥を行なった。また、脱水後の衣類に対して、温度が２７℃、湿度が４２％の恒温槽内で、１．２５ｍ３／分の風量の風を、吸湿材を通して送風して吸湿乾燥状態による乾燥を行なった。吸湿材の素材は、日本エクスラン工業株式会社の高分子収着剤であり、ロータサイズは、外径２００ｍｍ、厚み６０ｍｍであった。
【０１０５】
図７に示すように、送風乾燥状態による乾燥効率と、吸湿乾燥状態による乾燥効率とを比較した。衣類の乾燥度（％）は、乾燥中の衣類の重量で乾燥時の衣類の重量を割った値を百分率で表したものである。また、乾燥効率（ｇ／Ｗｈ）は、衣類から蒸発した水重量を消費電力量で割った値を百分率で表したものである。送風乾燥状態による乾燥終了時の衣類の重量は３１５２ｇであり、乾燥度は９７．２％であった。吸湿乾燥状態による乾燥終了時の衣類の重量は３０６４ｇであり、乾燥度は１００．０％であった。
【０１０６】
乾燥度が低い領域、すなわち、乾燥行程の前半においては、送風乾燥状態の方が吸湿乾燥状態よりも乾燥効率が高かった。しかしながら、乾燥度が高い領域、すなわち、乾燥行程の後半においては、送風乾燥状態よりも吸湿乾燥状態の方が、乾燥効率がよくなった。
【０１０７】
この結果から、乾燥行程の前半は送風乾燥状態の乾燥を行い、乾燥行程の後半には吸湿乾燥状態の乾燥を行うことによって、被乾燥対象物の乾燥度合いに応じて、効率よく被乾燥対象物を乾燥させられることがわかった。
【０１０８】
また、上述の送風乾燥状態による乾燥中に、供給路内の空気の温度と、排気路内の空気の温度と、排気路内の湿度の時間変化を測定した。図８に示すように、送風乾燥状態による乾燥の開始後、時間の経過とともに乾燥率が上昇し、排気経路内の空気の湿度が減少して、衣類の乾燥が進行しているとき、供給路内の空気の温度と、排気路内の空気の温度との差が次第に小さくなることがわかった。
【０１０９】
このことから、供給路内の空気の温度と、排気路内の空気の温度との差が所定の温度差よりも小さくなった場合には、衣類が所定の乾燥度に乾燥されていると判断できることがわかった。
【０１１０】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１１１】
１，２，３：衣類洗濯乾燥機、１１０：内槽、１２０，１２０ａ，１２０ｂ：供給路、１２２：第１供給路、１２４：第２供給路、１２６：第１供給路、１２７：第２供給路、１２８：上流部、１５０：デシカントロータ、１５１：吸湿部、１５２：非吸湿部、１５３：デシカントロータ回転モータ、１６１：供給側温度センサ、１６２：供給側湿度センサ、１６３：排気側温度センサ、１６４：排気側湿度センサ、１７０：再生部、１７１：再生流路、１７５：再生ヒータ、１７６：熱交換器、１９１：ダンパ。
【図１】
2011067510.tif 000003
【図２】
2011067510.tif 000004
【図３】
2011067510.tif 000005
【図４】
2011067510.tif 000006
【図５】
2011067510.tif 000007
【図６】
2011067510.tif 000008
【図７】
2011067510.tif 000009
【図８】
2011067510.tif 000010